(57)【要約】【課題】保護チューブ切断後に光ファイバを傷付けることなく保護チューブ切断治具から光ファイバを抜き取ることができる保護チューブ切断治具を提供する。【解決手段】保護チューブ切断治具１０は、チューブ受け部２２を設けた第１の操作部材２１と、切断刃１２を設けた第２の操作部材１１とを有し、チューブ受け部２２と切断刃１２とが接近および離反するように操作される。切断刃１２の一側面側には、チューブ押さえ突起１６が設けられている。チューブ切断時には、チューブ受け部２２に光ファイバ内蔵保護チューブをセットして、チューブ受け部２２と切断刃１２とを接近させた状態で、保護チューブ切断治具１０を保護チューブの回りで１回転させた後、光ファイバを保護チューブから引き抜く。その際、チューブ押さえ突起１６が保護チューブを光ファイバ側に押さえるため、切断刃１２が光ファイバを損傷することがない。【選択図】図１
2015036740.tif 000002
【特許請求の範囲】
【請求項１】
切断刃を設けた第１の操作部材と、チューブ受け部を設けた第２の操作部材とを有し、前記切断刃と前記チューブ受け部とが接近および離反するように操作される保護チューブ切断治具であって、前記切断刃の一側面側にチューブ押さえ突起を設けたことを特徴とする保護チューブ切断治具。
【請求項２】
前記チューブ押さえ突起は、前記切断刃と前記チューブ受け部とが接近した際に、前記チューブ受け部内に位置することを特徴とする請求項１に記載の保護チューブ切断治具。
【請求項３】
前記切断刃の刃先は、前記チューブ押さえ突起の先端部から、前記保護チューブの厚み以下の長さだけ突出していることを特徴とする請求項１または２に記載の保護チューブ切断治具。
【請求項４】
前記チューブ押さえ突起は、前記切断刃を前記第１の操作部材に対して取り付けるための切断刃取付部材に設けられていることを特徴とする請求項１〜３のいずれか１に記載の
保護チューブ切断治具。
【請求項５】
前記切断刃取付部材は、前記第１の操作部材に対して位置調整が可能に設けられていることを特徴とする請求項４に記載の保護チューブ切断治具。
【請求項６】
前記第１の操作部材と前記第２の操作部材とは、軸部材を介して連結されていることを特徴とする請求項１〜５のいずれか１に記載の保護チューブ切断治具。
【請求項７】
前記第１の操作部材と前記第２の操作部材は、バネ部材によって前記チューブ受け部と前記切断刃とが接近した状態に維持されていることを特徴とする請求項１〜６のいずれか１に記載の保護チューブ切断治具。
【請求項８】
前記第１の操作部材または前記第２の操作部材のいずれか一方に、指挿入用の孔を設けたことを特徴とする請求項１〜７のいずれか１に記載の保護チューブ切断治具。
【発明の詳細な説明】
【技術分野】
【０００１】
本発明は、保護チューブ切断治具に関し、詳しくは、光ファイバを内蔵した保護チューブを切断するための保護チューブ切断治具に関する。
【背景技術】
【０００２】
従来、歯科用途に用いられるレーザ歯科治療器として、例えば、特許文献１に記載されたような、光ファイバ繰り出し式のハンドピースが用いられている。
【０００３】
図６は、このような光ファイバ繰り出し式のレーザ歯科治療装置を示す図である。図６において、レーザ歯科治療装置１はレーザ光発光源６に接続された光ファイバ４を有しており、光ファイバ４には、光ファイバ４をガイドするハンドピース先端部３を備えたハンドピース２が設けられている。また、光ファイバ４には、光ファイバ４を保護するための可撓性の材料、例えばゴムからなる保護チューブ５が設けられており、保護チューブ５は、ハンドピース２からレーザ光発光源６までの光ファイバ４が傷つくのを防止している。そして、レーザ光発光源６からのレーザ光が、ハンドピース先端部３から突出した光ファイバ４の先端部のレーザ光出射端面から照射されるようになっている。
【０００４】
このようなレーザ歯科治療器１は、治療時にレーザ光出射端面が異物等の付着により汚染されることがあり、汚染された状態でレーザ光を出射すると、レーザ光出射端面が損傷することになる。そして、レーザ光出射端面が損傷した状態で再度使用すると、レーザ光出射端面でレーザ光が乱反射し、治療に必要なレーザ出力が得られないという問題があった。
【０００５】
このため、レーザ歯科治療器の使用後は、ハンドピース２を光ファイバ４から取り外し、光ファイバ４の先端部の損傷箇所を切断することにより、光ファイバ４のレーザ光出射端面を正常に戻し、再度光ファイバ４にハンドピース２を取り付ける作業を行う必要があった。
【０００６】
ここで、光ファイバ４の先端部を切断すると光ファイバ４の長さが短くなるため、光ファイバを内蔵した保護チューブ５の長さも短くする必要がある。このため、従来、例えば、光ファイバ４を保護チューブ５から抜き出し、光ファイバ４の先端を切断するとともに、保護チューブ５の先端を所定長さ切断し、再度光ファイバ４を保護チューブ５の中に挿入するといった作業を行っていた。しかし、このような挿入作業は、光ファイバの径が小さいため熟練を要するとともに、時間がかかっていた。
【０００７】
このため、光ファイバを内蔵したまま保護チューブの先端部分を所定の長さ切断することも行われている。図７は、従来の保護チューブ切断治具の例を示す斜視図であり、図８は、図７の保護チューブ切断治具に光ファイバを内蔵した保護チューブをセットした際の図である。
【０００８】
保護チューブ切断治具３０は、切断刃３２を設けた第１の操作部材３１と、チューブ受け部４２を設けた第２の操作部材４１とを有しており、切断刃３２とチューブ受け部４２とが接近および離反するように、第１の操作部材３１と第２の操作部材４１とが軸部材３５を介して連結されている。第１の操作部材３１と第２の操作部材４１は、図示しないバネ部材によって付勢されており、通常は切断刃３２とチューブ受け部４２とが接近した位置に保持されるようになっている。切断刃３２は切断刃取付部材３３によって第１の操作部材３１に対して取り付けられている。
【０００９】
そして、保護チューブ切断治具３０を用いて保護チューブを切断する際は、図８において軸部材３５よりも左側の第１の操作部材１１と第２の操作部材４１とをつまむように操作することにより、切断刃３２とチューブ受け部４２とを離反させ、図８に示すように、光ファイバ４を内蔵した保護チューブ５の切断予定箇所を、チューブ受け部４２にセット（載置）する。次に、つまむ操作を止めることによって、切断刃３２がチューブ受け部４２に接近し保護チューブ５に当たる状態になる。この状態で、指挿入用の孔３４に指を挿入し、保護チューブ切断治具３０を光ファイバ内蔵保護チューブ５の回りを一周させことにより、保護チューブ５を切断する。次に、切断した保護チューブ５の先端側部分から光ファイバ４を、切断刃３２を利用して抜くことにより、保護チューブ切断治具３０を用いた一連の作業を終了している。
【先行技術文献】
【特許文献】
【００１０】
【特許文献１】特開２００４−２１６１７０号公報
【発明の概要】
【発明が解決しようとする課題】
【００１１】
図９は、図７に示す保護チューブ切断治具の切断刃と光ファイバを内蔵した保護チューブの関係を模式的に説明するための図であり、保護チューブ切断治具３０を用いて保護チューブ５を切断し終えた状態を示している。ここで、切断刃３２を利用して切断した保護チューブ５の先端側部分５ａから光ファイバ４を抜く場合、切断刃３２を光ファイバ４に対して相対的に矢印Ａの方向に移動させている。
【００１２】
先端側部分５ａから光ファイバ４を引き抜く際には、保護チューブ５と保護チューブ切断治具３０を持って作業を行うが、保護チューブ切断治具３０の切断刃３２が光ファイバ５に対して垂直な状態で引き抜くことができない場合は、保護チューブ５が可撓性を有しているため、保護チューブ５より突出した切断刃３２の先端部Ｂが光ファイバ４に当たり、光ファイバ４を傷つけることがあった。そして、光ファイバ４が傷つくと、傷ついた部分からレーザ光が漏れるため、治療に必要なレーザ出力が得られないという問題があった。
【００１３】
本発明は、これらの実情に鑑みてなされたものであり、保護チューブ切断後に光ファイバを傷付けることなく保護チューブ切断治具から光ファイバを抜き取ることができる保護チューブ切断治具を提供することをその目的としている。
【課題を解決するための手段】
【００１４】
上記課題を解決するために、請求項１の発明は、切断刃を設けた第１の操作部材と、チューブ受け部を設けた第２の操作部材とを有し、前記切断刃と前記チューブ受け部とが接近および離反するように操作される保護チューブ切断治具であって、前記切断刃の一側面側にチューブ押さえ突起を設けたことを特徴としたものである。
【００１５】
請求項２の発明は、請求項１の保護チューブ切断治具において、前記チューブ押さえ突起は、前記切断刃と前記チューブ受け部とが接近した際に、前記チューブ受け部内に位置することを特徴としたものである。
【００１６】
請求項３の発明は、請求項１または２の保護チューブ切断治具において、前記切断刃の刃先は、前記チューブ押さえ突起の先端部から、前記保護チューブの厚み以下の長さだけ突出していることを特徴としたものである。
【００１７】
請求項４の発明は、請求項１〜３のいずれか１の保護チューブ切断治具において、前記チューブ押さえ突起は、前記切断刃を前記第１の操作部材に対して取り付けるための切断刃取付部材に設けられていることを特徴としたものである。
【００１８】
請求項５の発明は、請求項４の保護チューブ切断治具において、前記切断刃取付部材は、前記第１の操作部材に対して位置調整が可能に設けられていることを特徴としたものである。
【００１９】
請求項６の発明は、請求項１〜５のいずれか１の保護チューブ切断治具において、前記第１の操作部材と前記第２の操作部材とは、軸部材を介して連結されていることを特徴としたものである。
【００２０】
請求項７の発明は、請求項１〜６のいずれか１の保護チューブ切断治具において、前記第１の操作部材と前記第２の操作部材は、バネ部材によって前記チューブ受け部と前記切断刃とが接近した状態に維持されていることを特徴とするものである。
【００２１】
請求項８の発明は、請求項１〜７のいずれか１の保護チューブ切断治具において、前記第１の操作部材または前記第２の操作部材のいずれか一方に、指挿入用の孔を設けたことを特徴とするものである。
【発明の効果】
【００２２】
本発明によれば、保護チューブ切断後に光ファイバを傷付けることなく保護チューブ切断治具から光ファイバを抜き取ることができるため、光ファイバが傷つくことによるレーザ光の損失を防止することができる。
【図面の簡単な説明】
【００２３】
【図１】本発明の保護チューブ切断治具の例を示す斜視図である。
【図２】本発明の保護チューブ切断治具の例を示す斜視図である。
【図３】図１に示す保護チューブ切断治具に光ファイバを内蔵した保護チューブをセットした際の図である。
【図４】図１に示す保護チューブ切断治具の切断刃と光ファイバを内蔵した保護チューブの関係を模式的に説明するための図である。
【図５】本発明の保護チューブ切断治具の他の例を示す斜視図である。
【図６】光ファイバ繰り出し式のレーザ歯科治療装置を示す図である。
【図７】従来の保護チューブ切断治具の例を示す斜視図である。
【図８】図７に示す保護チューブ切断治具に光ファイバを内蔵した保護チューブをセットした際の図である。
【図９】図７に示す保護チューブ切断治具の切断刃と光ファイバを内蔵した保護チューブの関係を模式的に説明するための図である。
【発明を実施するための形態】
【００２４】
以下、図面を参照しながら、本発明の保護チューブ切断治具に係る好適な実施の形態について説明する。以下の説明において、異なる図面においても同じ符号を付した構成は同様のものであるとして、その説明を省略する場合がある。
【００２５】
図１、図２は、それぞれ本発明の保護チューブ切断治具の例を示す斜視図であり、図１は切断刃とチューブ受け部とが離反した状態を示す図であり、図２は切断刃とチューブ受け部とが接近した状態を示す図である。また、図３は、図１に示す保護チューブ切断治具に光ファイバを内蔵した保護チューブをセットした際の図である。
【００２６】
保護チューブ切断治具１０は、切断刃１２を設けた第１の操作部材１１と、チューブ受け部２２を設けた第２の操作部材２１とを有しており、切断刃１２とチューブ受け部２２とが接近および離反するように、第１の操作部材１１と第２の操作部材２１とは軸部材１５を介して連結されている。また、第１の操作部材１１と第２の操作部材２１とは、バネ部材２３によって図２に示すように、切断刃１２とチューブ受け部２２とが接近した状態に維持されるように付勢されている。
【００２７】
切断刃１２は切断刃取付部材１３によって第１の操作部材１１に対して取り付けられており、切断刃取付部材１３は、切断刃１２の一側面側から切断刃１２を第１の操作部材１１とともに挟むように、第２の操作部材１１に対してビス１７等で固定されている。そして、切断刃取付部材１３にはチューブ押さえ突起１６が設けられている。このチューブ押さえ突起１６は、切断刃１２の一側面側に位置するとともに、図２で示すように、切断刃１２とチューブ受け部２２とが接近した状態になった際に、チューブ受け部２２内に位置するように形成されている。
【００２８】
チューブ受け部２２は、保護チューブ５を保護チューブ切断治具１０で切断する際に、保護チューブ５を位置決めするためのものであり、チューブ受け部２２の底部は保護チューブ５の外形とほぼ等しい形状に形成されている。
【００２９】
そして、保護チューブ切断治具１０を用いて保護チューブを切断する際は、図３で示すように、軸部材１５よりも左側の第１の操作部材１１と第２の操作部材２１とをつまむように操作することにより、切断刃１２とチューブ受け部２２とを離反させ、光ファイバ４を内蔵した保護チューブ５の切断予定箇所を、チューブ受け部２２にセット（載置）する。次に、つまむ操作を止めることによって、切断刃１２をチューブ受け部２２に接近させ、切断刃１２が保護チューブ５に当たる状態にする。この状態で、指挿入用の孔１４に指を挿入し、保護チューブ切断治具１０を光ファイバ内蔵保護チューブ５の回りを一周させことにより、保護チューブ５を切断する。次に、切断した保護チューブ５の先端側部分から光ファイバ４を、切断刃１２を利用して抜くことにより、保護チューブ切断治具３０を用いた一連の作業を終了する。なお、指挿入用の孔１４は、第１の操作部材１１または前記第２の操作部材２１のいずれか一方に設けておけばよい。
【００３０】
図４は、図１に示す保護チューブ切断治具の切断刃と光ファイバを内蔵した保護チューブの関係を模式的に説明するための図であり、保護チューブ切断治具１０を用いて保護チューブ５を切断し終えた状態を示している。ここで、切断刃１２を利用して切断した保護チューブ５の先端側部分５ａから光ファイバ４を抜く場合、切断刃１２を光ファイバ４に対して相対的に矢印Ａの方向に移動させている。
【００３１】
その際、切断刃１２の一側面側に設けたチューブ押さえ突起１６が光ファイバ４のレーザ光出射端面側に位置するようにしておけば、保護チューブ５の先端側部分５ａがチューブ押さえ突起１６によって光ファイバ４側に押さえられるため、切断刃１２を光ファイバ４に対して相対的に矢印Ａの方向に移動させる際に、切断刃１２が光ファイバ４に接触することがなくなる。
【００３２】
このため、切断刃１２の刃先がチューブ押さえ突起１６の先端部から突出する刃先突出長さＣが、保護チューブの厚みＤ以下の長さとなるようにしておくことが望ましい。ここで、刃先突出長さＣを保護チューブの厚みＤより短く構成すると、切断刃１２とチューブ受け部２２とを接近させた状態で、保護チューブ切断治具１０を光ファイバ内蔵保護チューブ５の回りを一周させた場合、保護チューブにはその内周部がわずかに残るような切れ目が入ることとなり、保護チューブ５が完全には分離されることはない。しかし、光ファイバ４から保護チューブ５の先端側部分５ａを引き抜く際に、保護チューブ５がその切れ目部分から裂けることにより、保護チューブ５の先端側部分５ａを分離引き抜くことが可能となる。なお、保護チューブの厚みＤに対する刃先突出長さＣは、切断する保護チューブ５の材質や硬さ、引っ張り強さなどに応じて決めることができる。
【００３３】
また、切断刃１２の刃先突出長さＣを調整するための構造を採用することもできる。図５は、本発明の保護チューブ切断治具の他の例を示す斜視図である。図５に示す保護チューブ切断治具１０’では、切断刃取付部材１３に設けたビス孔１８をチューブ押さえ突起２２の突出方向Ｅに対して長い長孔とするとともに、切断刃取付部材１３をチューブ押さえ突起２２の突出方向Ｅに対して短く構成することにより、切断刃取付部材１３をチューブ押さえ突起２２の突出方向Ｅに対してスライド可能に構成している。そして、ビス１７を緩めることにより、切断刃取付部材１３の位置を調整し、所望の切断刃１２の刃先突出長さＣとなった位置でビス１を再度締め付けることにより、種々の材質や厚みの保護チューブに対応可能としている。
【符号の説明】
【００３４】
１…レーザ歯科治療装置、２…ハンドピース、３…ハンドピース先端部、４…光ファイバ、５…保護チューブ、６…レーザ光発光源、１０、１０’、３０…保護チューブ切断治具、１１、３１…第１の操作部材、１２、３２…切断刃、１３、３３…切断刃取付部材、１４、３４…指挿入用の孔、１５、３５…軸部材、１６…チューブ押さえ突起、１７…ビス、１８…ビス孔、２１、４１…第２の操作部材、２２、４２…チューブ受け部、２３…バネ部材。
【図１】
2015036740.tif 000003
【図２】
2015036740.tif 000004
【図３】
2015036740.tif 000005
【図４】
2015036740.tif 000006
【図５】
2015036740.tif 000007
【図６】
2015036740.tif 000008
【図７】
2015036740.tif 000009
【図８】
2015036740.tif 000010
【図９】
2015036740.tif 000011